(57)【要約】【課題】パネルに発生する音響ノイズを低減する。【解決手段】複数の放電セルを間に置いて対向して配置される前面基板１０ａおよび背面基板２０ａを有するプラズマディスプレイパネルにおいて、プラズマディスプレイパネルの前に設けられるフィルタガラス３０と前面基板１０ａとの間に気体または液体を封入する。この気体または液体は、１気圧より高い圧力で封入される。【選択図】        図１
2004214098.tif 000002
【特許請求の範囲】
【請求項１】
複数の放電セルを間に置いて対向して配置される前面基板および背面基板を有するプラズマディスプレイパネルにおいてパネルに発生する音響ノイズを低減する音響ノイズ低減方法であって、
プラズマディスプレイパネルの前面に設けられ前記前面基板を覆うフィルタガラスと前記前面基板との間に気体または液体を封入することを特徴とするプラズマディスプレイパネルの音響ノイズ低減方法。
【請求項２】
複数の放電セルを間に置いて対向して配置される前面基板および背面基板を有するプラズマディスプレイパネルにおいてパネルに発生する音響ノイズを低減する音響ノイズ低減方法であって、
プラズマディスプレイパネルの背面に設けられ前記背面基板を覆うプレートと前記背面基板との間に気体または液体を封入することを特徴とするプラズマディスプレイパネルの音響ノイズ低減方法。
【請求項３】
請求項１または２記載のプラズマディスプレイパネルの音響ノイズ低減方法において、
前記気体または液体を、１気圧より高い圧力で封入することを特徴とするプラズマディスプレイパネルの音響ノイズ低減方法。
【請求項４】
複数の放電セルを間に置いて対向して配置される前面基板および背面基板を有するプラズマディスプレイパネルにおいて、
プラズマディスプレイパネルの前面に設けられ前記前面基板を覆うフィルタガラスと前記前面基板との間に密封された空間を有し、この空間内に封入された気体または液体を有することを特徴とするプラズマディスプレイパネル。
【請求項５】
請求項４記載のプラズマディスプレイパネルにおいて、
プラズマディスプレイパネルの前面に設けられ前記前面基板を覆うフィルタガラスと前記前面基板との間に密封された空間に封入される前記液体の光屈折率は、前記フィルタガラスの光屈折率と略同一であることを特徴とするプラズマディスプレイパネル。
【請求項６】
複数の放電セルを間に置いて対向して配置される前面基板および背面基板を有するプラズマディスプレイパネルにおいて、
プラズマディスプレイパネルの背面に設けられ前記背面基板を覆うプレートと前記背面基板との間に密封された空間を有し、この空間内に封入された気体または液体を有することを特徴とするプラズマディスプレイパネル。
【請求項７】
請求項４または６記載のプラズマディスプレイパネルにおいて、
前記気体または液体は、１気圧より高い圧力で封入されることを特徴とするプラズマディスプレイパネル。
【発明の詳細な説明】
【０００１】
【発明の属する技術分野】
本発明は、プラズマディスプレイパネルに係り、特にパネルに発生する音響ノイズを低減することができる音響ノイズ低減方法およびプラズマディスプレイパネルに関するものである。
【０００２】
【従来の技術】
マルチメディア時代の到来に伴い、既存のものに比べ細密でかつサイズが大きく、自然色に近い色が表現できるようなディスプレイが要求されている。特に、大型のディスプレイに対しては、現在のＣＲＴ構造やＬＣＤ構造では限界があるので、プラズマディスプレイパネルが次世代のディスプレイとして脚光を浴びている。
【０００３】
プラズマディスプレイパネルは、図４に示すような前面基板１０と背面基板２０とを所定の高さの空間を保って貼り合わせた構造を有する。前面基板１０上には、互いに平行なスキャン電極１１とサステイン電極１２とが形成され、これらを覆うように誘電体層１３と保護膜１４とが積層される。一方、背面基板２０上には、スキャン電極１１およびサステイン電極１２と直交する方向にアドレス電極２１が形成され、アドレス電極２１を含む背面基板全面に誘電体層２２が形成され、この誘電体層２２の上に各放電セル領域を区分するための隔壁２３が形成され、さらに誘電体層２２および隔壁２３の表面に蛍光体２４が塗布される。
【０００４】
以上のプラズマディスプレイパネルの動作について簡単に説明すると、次の通りである。まず、任意の放電セル内のスキャン電極１１とアドレス電極２１との間に駆動電圧を供給すると、スキャン電極１１とアドレス電極２１との間に位置しているセル内部に書込放電が起こる。その後、スキャン電極１１とサステイン電極１２に放電電圧を供給すると、書込放電が起こった放電セル、すなわち選択された放電セル内のスキャン電極１１とサステイン電極１２との間に維持放電が起こってセルの発光が一定時間維持される。
【０００５】
この維持放電が起こったセル内では、電極間の放電により電界が発生して放電ガス中の微量電子が加速され、加速された電子とガス中の中性粒子とが衝突して電子とイオンとに電離し、さらに電離した電子と中性粒子との他の衝突等により、中性粒子がより速く電子とイオンとに電離し、放電ガスがプラズマ状態になると共に、真空紫外線が発生する。このように発生した紫外線が蛍光体２４を励起させて可視光を発生させ、さらに発生した可視光が前面基板１０を通して外部に放射されると、外部で任意のセルの発光、すなわち画像表示を認識することができる。なお、出願人は、出願時までに本発明に関連する先行技術文献を発見することはできなかった。よって、先行技術文献情報を開示していない。
【０００６】
【発明が解決しようとする課題】
図４に示したプラズマディスプレイパネルでは、前面基板１０の構造と背面基板２０の構造とを別々に作製した後、例えば低融点ガラスからなる封着部材により前面基板１０と背面基板２０とを貼り合わせて封着し、封着したプラズマディスプレイパネルの内部を排気した後、放電ガスを内部に封入している。放電ガスの圧力は、４００Ｔｏｒｒ程度（大気に対して負圧）に設定されている。
【０００７】
しかしながら、封着したパネル内では、前面基板１０に形成した保護膜１４と背面基板２０に形成した隔壁２３とが密着していない密着不全箇所が局所的に存在し、この密着不全箇所では保護膜１４と隔壁２３との間が空くことになる。前述のように、プラズマディスプレイパネルの各電極に電圧を印加すると、電界によるマクスウェル（Ｍａｘｗｅｌｌ  ）の応力により、サステイン電極１２（またはスキャン電極１１）とアドレス電極２１との間に吸引力が働く。したがって、前記密着不全箇所では、吸引力が発生すると保護膜１４と隔壁２３とが密着し、電圧印加がオフになって吸引力がなくなると保護膜１４と隔壁２３とが離れるといった現象が繰り返し発生する。このような現象の発生は前面基板１０と背面基板２０に定在波が発生することを意味し、プラズマディスプレイパネルが振動する音響ノイズとなる。
【０００８】
以上のように、従来のプラズマディスプレイパネルでは、保護膜１４と隔壁２３との密着不全により、パネルに音響ノイズが発生するという問題点があった。従来のプラズマディスプレイパネルでは、放電ガスの圧力を４００Ｔｏｒｒ程度に設定することにより、大気圧でパネル全体を押さえ込むようにしていたが、このような方法ではパネルに発生する音響ノイズを低減するには不十分であった。
【０００９】
本発明は、上記課題を解決するためになされたもので、パネルに発生する音響ノイズを低減することができる音響ノイズ低減方法およびプラズマディスプレイパネルを提供することを目的とする。
【００１０】
【課題を解決するための手段】
本発明は、複数の放電セルを間に置いて対向して配置される前面基板および背面基板を有するプラズマディスプレイパネルにおいてパネルに発生する音響ノイズを低減する音響ノイズ低減方法であって、プラズマディスプレイパネルの前面に設けられ前記前面基板を覆うフィルタガラスと前記前面基板との間に気体または液体を封入するようにしたものである。フィルタガラスと前面基板との間に気体または液体を封入することにより、前面基板に圧力をかけることができる。気体の種類としては、例えば空気がある。
また、本発明のプラズマディスプレイパネルの音響ノイズ低減方法は、プラズマディスプレイパネルの背面に設けられ前記背面基板を覆うプレートと前記背面基板との間に気体または液体を封入するようにしたものである。プレートと背面基板との間に気体または液体を封入することにより、背面基板に圧力をかけることができる。
また、本発明のプラズマディスプレイパネルの音響ノイズ低減方法の１構成例は、前記気体または液体を、１気圧より高い圧力で封入するようにしたものである。
また、本発明のプラズマディスプレイパネルは、プラズマディスプレイパネルの前面に設けられ前記前面基板を覆うフィルタガラスと前記前面基板との間に密封された空間を有し、この空間内に封入された気体または液体を有するものである。
また、本発明のプラズマディスプレイパネルの１構成例において、プラズマディスプレイパネルの前面に設けられ前記前面基板を覆うフィルタガラスと前記前面基板との間に密封された空間に封入される前記液体の光屈折率は、前記フィルタガラスの光屈折率と略同一である。
また、本発明のプラズマディスプレイパネルは、プラズマディスプレイパネルの背面に設けられ前記背面基板を覆うプレートと前記背面基板との間に密封された空間を有し、この空間内に封入された気体または液体を有するものである。
また、本発明のプラズマディスプレイパネルの１構成例において、前記気体または液体は、１気圧より高い圧力で封入されるものである。
【００１１】
【発明の実施の形態】
［第１の実施の形態］
以下、本発明の実施の形態について図面を参照して詳細に説明する。図１は本発明の第１の実施の形態となるプラズマディスプレイパネルの構造を示す断面図である。例えばガラスからなる前面基板（Ｆｒｏｎｔ−Ｐｌａｔｅ）１０ａ上には、互いに平行なスキャン電極１１とサステイン電極１２とが形成され、これらを覆うように誘電体層１３と保護膜１４とが積層される。スキャン電極１１とサステイン電極１２とは、それぞれ透明電極と透明電極より幅の狭い金属バス電極とから構成される。保護膜１４の材料としては酸化マグネシウム（ＭｇＯ）が利用される。
【００１２】
一方、例えばガラスからなる背面基板（Ｂａｃｋ−Ｐｌａｔｅ）２０ａ上には、前面基板１０ａのスキャン電極１１およびサステイン電極１２と直交するようにアドレス電極２１が形成され、アドレス電極２１を含む背面基板全面に誘電体層２２が形成され、この誘電体層２２の上に各放電セル領域を区分するための隔壁（リブ）２３が形成され、さらに誘電体層２２および隔壁２３の表面に蛍光体２４が塗布される。誘電体層１３，２２および隔壁２３の材料としてはガラスが利用される。
【００１３】
以上のような前面基板１０ａの構造と背面基板２０ａの構造とを別々に作製した後、前面基板１０ａの保護膜１４を下にして、前面基板１０ａと背面基板２０ａとを向かい合わせ、例えば低融点ガラスからなる封着部材２５により前面基板１０ａと背面基板２０ａとを貼り合わせて封着する。そして、封着したプラズマディスプレイパネルの内部を排気した後、放電ガスを内部に封入する。放電ガスの圧力は、例えば４００Ｔｏｒｒ程度に設定される。こうして、プラズマディスプレイパネルを作製するパネル工程が終了する。
【００１４】
次に、完成したプラズマディスプレイパネルをモジュール等の製品にするアセンブリ工程では、配線用のＦＰＣ（Ｆｌｅｘｉｂｌｅ  Ｐｒｉｎｔｅｄ  Ｃｉｒｃｕｉｔ）とプラズマディスプレイパネルの電極とを異方性導電フィルムを介して接続した後に、前面基板１０ａの上にフィルタガラス３０を取り付ける。フィルタガラス３０は、プラズマディスプレイパネルの保護、プラズマディスプレイパネルから発生する電磁波や赤外線の遮蔽、表示画像の色再現性やコントラスト比の改善などを目的とするものである。
【００１５】
本実施の形態では、フィルタガラス３０を取り付ける際に、フィルタガラス３０と前面基板１０ａとが所定の高さの空間３２を保って対向するように、例えば低融点ガラスからなる封着部材３１によりフィルタガラス３０と前面基板１０ａとをそれらの周縁部において貼り合わせて封着する。フィルタガラス３０と前面基板１０ａとを封着部材３１によって封着したことによって形成される空間３２内には、プラズマディスプレイパネル内の放電ガスよりも高い圧力、具体的には１気圧より高い圧力の空気を封入する。
【００１６】
従来のプラズマディスプレイパネルでは、放電ガスの圧力を空気に対して負圧に設定することにより、大気圧でパネルに圧力をかけるようにしていたが、音響ノイズの低減には不十分であった。これに対して、本実施の形態では、空間３２内の圧力を１気圧より高くすることで、前面基板１０ａに従来よりも高い圧力をかけることができるので、前面基板１０ａに形成した保護膜１４と背面基板２０ａに形成した隔壁２３との密着不全により発生する振動を抑えることができる。
【００１７】
また、空間３２内に１気圧より高い圧力の空気を封入することにより、周囲の気圧に関係なく一定の圧力を前面基板１０ａに加えることができるので、周囲の気圧に影響されない良好な音響ノイズ低減効果を安定的に得ることができる。従来のプラズマディスプレイパネルでは、高地等の気圧が低い所で音響ノイズ低減効果が低下するが、本実施の形態のプラズマディスプレイパネルでは、音響ノイズ低減効果に変化はない。
【００１８】
［第２の実施の形態］
次に、本発明の第２の実施の形態について説明する。図２は本発明の第２の実施の形態となるプラズマディスプレイパネルの構造を示す断面図であり、図１と同一の構成には同一の符号を付してある。前述のアセンブリ工程では、第１の実施の形態で説明したようにプラズマディスプレイパネルの前面にフィルタガラス３０を設けると共に、プラズマディスプレイパネルを支える土台となる金属プレート４０にパネルを取り付ける。
【００１９】
本実施の形態では、金属プレート４０にプラズマディスプレイパネルを取り付ける際に、背面基板２０ａと金属プレート４０とが所定の高さの空間４２を保って対向するように、封着部材４１により背面基板２０ａと金属プレート４０とをそれらの周縁部において貼り合わせて封着する。空間４２内には、プラズマディスプレイパネル内の放電ガスよりも高い圧力、具体的には１気圧より高い圧力の空気を封入する。背面基板２０ａがガラスの場合、金属プレート４０の表面に予め酸化膜を形成しておくことにより、金属プレート４０に低融点ガラスからなる封着部材４１を封着することができる。
【００２０】
空間４２内の圧力を１気圧より高くすることで、第１の実施の形態と同様に、保護膜１４と隔壁２３との密着不全により発生する振動を抑えることができる。また、周囲の気圧に影響されない良好な音響ノイズ低減効果を安定的に得ることができる。
【００２１】
［第３の実施の形態］
次に、本発明の第３の実施の形態について説明する。図３は本発明の第３の実施の形態となるプラズマディスプレイパネルの構造を示す断面図であり、図１、図２と同一の構成には同一の符号を付してある。本実施の形態は、第１の実施の形態と第２の実施の形態とを組み合わせたものであり、フィルタガラス３０と前面基板１０ａとを封着部材３１によって封着したことにより形成した空間３２内に、１気圧より高い圧力の空気を封入し、背面基板２０ａと金属プレート４０とを封着部材４１によって封着したことにより形成した空間４２内に、１気圧より高い圧力の空気を封入したものである。これにより、音響ノイズ低減効果をより効果的に得ることができる。
【００２２】
［第４の実施の形態］
第１〜第３の実施の形態では、空間３２と空間４２に空気を封入したが、気体の代わりに液体を封入してもよい。このとき、空間３２，４２内には、プラズマディスプレイパネル内の放電ガスよりも高い圧力、具体的には１気圧より高い圧力の液体を封入する。特に、空間３２に液体を封入する場合、プラズマディスプレイパネルからの光のうちＲ（赤）Ｇ（緑）Ｂ（青）の蛍光体発光成分を透過させ、その他の発光成分（例えばネオンガスの発光）を抑えるといった分光透過特性を有する液体を使用すれば、色再現性を向上させる機能をフィルタガラス３０に持たせることなく、色純度を高め、表示画像の色再現性を向上させることができ、フィルタガラス３０のコストを低減することができる。なお、空間３２に封入する液体の光屈折率は、フィルタガラス３０の光屈折率と略同一とする。
【００２３】
【発明の効果】
本発明によれば、プラズマディスプレイパネルの前面に設けられ前面基板を覆うフィルタガラスと前面基板との間に気体または液体を封入することにより、前面基板に圧力をかけることができるので、前面基板に形成した保護膜と背面基板に形成した隔壁との密着不全により発生する振動を抑えることができ、プラズマディスプレイパネルに発生する音響ノイズを減少させることができる。
【００２４】
また、プラズマディスプレイパネルの背面に設けられ背面基板を覆うプレートと背面基板との間に気体または液体を封入することにより、背面基板に圧力をかけることができるので、前面基板に形成した保護膜と背面基板に形成した隔壁との密着不全により発生する振動を抑えることができ、プラズマディスプレイパネルに発生する音響ノイズを減少させることができる。
【００２５】
また、気体または液体を１気圧より高い圧力で封入することにより、前面基板または背面基板に高い圧力をかけることができ、周囲の気圧に影響されない良好な音響ノイズ低減効果を安定的に得ることができる。
【図面の簡単な説明】
【図１】本発明の第１の実施の形態となるプラズマディスプレイパネルの構造を示す断面図である。
【図２】本発明の第２の実施の形態となるプラズマディスプレイパネルの構造を示す断面図である。
【図３】本発明の第３の実施の形態となるプラズマディスプレイパネルの構造を示す断面図である。
【図４】従来のプラズマディスプレイパネルの構造を示す分解斜視図である。
【符号の説明】
１０ａ…前面基板、１１…スキャン電極、１２…サステイン電極、１３…誘電体層、１４…保護膜、２０ａ…背面基板、２１…アドレス電極、２２…誘電体層、２３…隔壁、２４…蛍光体、２５…封着部材、３０…フィルタガラス、３１…封着部材、３２…空間、４０…金属プレート、４１…封着部材、４２…空間。
【図１】
2004214098.tif 000003
【図２】
2004214098.tif 000004
【図３】
2004214098.tif 000005
【図４】
2004214098.tif 000006